(57)【要約】【課題】支柱のない簡素化された構造で防水性および施工性を向上できる腰壁パネルフレーム固定構造を提供する。【解決手段】腰壁パネルフレーム固定構造は、腰壁パネルフレーム１と、接合用板材２１の表面に縦配置で腰壁取合いプレート２２が固定された腰壁パネルフレーム固定部材２と、Ｈ型鋼からなるバルコニー梁３に接合された梁取合い部材４とを備え、上記腰壁パネルフレーム固定部材２における上記接合用板材２１の裏面が上記梁取合い部材４に接合されており、隣り合う腰壁パネルフレーム１がその縦フレーム１１の下部側で上記腰壁取合いプレート２２に固定されている。【選択図】図１
2014196631.tif 000002
【特許請求の範囲】
【請求項１】
腰壁パネルフレームと、接合用板材に縦配置で腰壁取合いプレートが固定された腰壁パネルフレーム固定部材と、バルコニー梁の外側で上フランジと下フランジの両方に接合された梁取合い部材と、を備え、上記腰壁パネルフレーム固定部材における上記接合用板材が上記梁取合い部材に接合されており、上記腰壁取合いプレートを挟むように配置された隣り合う腰壁パネルフレームがその下部側で上記腰壁取合いプレートに固定されていることを特徴とする腰壁パネルフレーム固定構造。
【請求項２】
請求項１に記載の腰壁パネルフレーム固定構造において、上記腰壁パネルフレームの下端には下向きに開口する切欠きが形成されており、上記腰壁取合いプレートの両面には上記隣り合う腰壁パネルフレームの上記切欠きに係合するピン部が設けられていることを特徴とする腰壁パネルフレーム固定構造。
【請求項３】
請求項２に記載の腰壁パネルフレーム固定構造において、上記腰壁取合いプレートと上記腰壁パネルフレームとの固定のための締結部材が設けられる上記腰壁パネルフレームの箇所と、上記切欠きが形成される上記腰壁パネルフレームの箇所には、突出面部が形成されていることを特徴とする腰壁パネルフレーム固定構造。
【請求項４】
請求項１〜請求項３のいずれか１項に記載の腰壁パネルフレーム固定構造において、上記腰壁パネルフレームの上端には上向きに開口する切欠きが形成されており、上記隣り合う腰壁パネルフレームの上端部の間には、上記切欠きに係合するピン部を両面に有するスペーサーが設けられていることを特徴とする腰壁パネルフレーム固定構造。
【請求項５】
請求項４に記載の腰壁パネルフレーム固定構造において、上記上向きに開口する切欠きが形成される上記腰壁パネルフレームの箇所には、突出面部が形成されていることを特徴とする腰壁パネルフレーム固定構造。
【請求項６】
請求項１〜請求項５のいずれか１項に記載の腰壁パネルフレーム固定構造において、上記腰壁パネルフレームには縦中桟が設けられており、この縦中桟の下部が上記バルコニー梁に支持されていることを特徴とする腰壁パネルフレーム固定構造。
【発明の詳細な説明】
【技術分野】
【０００１】
この発明は、バルコニーの腰壁パネルフレーム固定構造に関する。
【背景技術】
【０００２】
特許文献１には、バルコニーの外部床の本体部の外側を外部カバーで覆い、その外部カバーと本体部との間の空間を防水カバーで上方から覆うとともに、この防水カバーを貫通して手摺り支柱を上方へ立ち上がらせたものにおいて、水密材を裏張りした防水キャップを、前記手摺り支柱へ外嵌するようにして前記防水カバーの上面を被覆してなるバルコニーの外部床における手摺り支柱根元部の防水構造が開示されている。
【０００３】
また、他の従来のバルコニー構造として、図８に示すように、バルコニー梁１０１のフランジ上に支柱１０２を接合する場合にボルト１０３とナット１０４とを用いる構造がある。しかしながら、この構造では、上記フランジ上から突出する上記ボルト１０３の頭部（図の点線丸囲み参照）がバルコニー床の防水施工材と干渉することがある。一方、図示はしていなが、バルコニー梁の外側に取合いプレートを設けて支柱金物を取り付ける構造の場合、腰壁設置前に上記支柱金物を本締めする必要がある。このため、両側２本の支柱金物の間に腰壁パネルを円滑に施工するためには、上記腰壁パネルをマイナス公差で作製するか、バルコニー梁のウェブに手が入る貫通穴を開けて内側から施工できるようにする必要がある。
【０００４】
また、図９に示すように、腰壁パネル１０５の上下位置で左右の腰壁を固定する場合、支柱１０２を腰壁と同じ高さにするための加工精度が必要になると同時に支柱が長くなり、コスト高になる。一方、腰壁パネル１０５の上下の中間位置において支柱１０２と上記腰壁パネル１０５とを固定する場合、腰壁パネルに外装材１０５ａが貼られていると、支柱１０２とボルト取り合いができる箇所が限られてくる。また、支柱１０２の配置間隔が大きくなると、パネルフレーム１０５の断面サイズをアップして自重に十分耐えるようにする必要がある。
【先行技術文献】
【特許文献】
【０００５】
【特許文献１】特許第４３６３２０２号公報
【発明の概要】
【発明が解決しようとする課題】
【０００６】
上記特許文献１に開示の技術は、手摺り支柱が構成要素とされる構造であり、支柱を構成要素とすることにより生じる上記のような問題の解決は容易でない。
【０００７】
この発明は、上記の事情に鑑み、支柱のない簡素化された構造で防水性および施工性を向上できる腰壁パネルフレーム固定構造を提供することを課題とする。
【課題を解決するための手段】
【０００８】
この発明の腰壁パネルフレーム固定構造は、上記の課題を解決するために、腰壁パネルフレームと、接合用板材に縦配置で腰壁取合いプレートが固定された腰壁パネルフレーム固定部材と、バルコニー梁の外側で上フランジと下フランジの両方に接合された梁取合い部材と、を備え、上記腰壁パネルフレーム固定部材における上記接合用板材が上記梁取合い部材に接合されており、上記腰壁取合いプレートを挟むように配置された隣り合う腰壁パネルフレームがその下部側で上記腰壁取合いプレートに固定されていることを特徴とする。
【０００９】
上記の構成であれば、上記バルコニー梁の上フランジと下フランジの両方に接合された梁取合い部材に上記腰壁パネルフレーム固定部材が固定されており、上記腰壁取合いプレートを挟むように配置された隣り合う腰壁パネルフレームがその下部側で上記腰壁取合いプレートに固定されるので、支柱のない構造のバルコニーが構築される。これにより、上記バルコニー梁の上フランジの上面を用いる支柱固定部とバルコニー床の防水施工材との干渉といった問題が無くなり、防水性を確保することが容易になる。また、支柱設置の作業が省略されるので、施工性も向上する。さらに、上記バルコニー梁の上フランジと下フランジの両方に接合された梁取合い部材に上記腰壁パネルフレーム固定部材が固定されるので、上記腰壁パネルフレームの取り付けの剛性が向上する。また、隣り合う腰壁パネルフレームの目地間を上記腰壁取合いプレートの厚みによって設定することができる。
【００１０】
上記腰壁パネルフレームの下端には下向きに開口する切欠きが形成されており、上記腰壁取合いプレートの両面には上記隣り合う腰壁パネルフレームの上記切欠きに係合するピン部が設けられていてもよい。これによれば、上記腰壁パネルフレームの上記切欠きを上記ピン部に上から係合させるだけで当該ピン部を介して上記腰壁パネルフレームの重量が上記腰壁取合いプレートで受け止められることになる。また、上記腰壁パネルフレームに加わる水平力（風圧力）を、上記切欠きとピン部を介して上記腰壁取合いプレートが受け止めることになる。
【００１１】
上記腰壁取合いプレートと上記腰壁パネルフレームとの固定のための締結部材が設けられる上記腰壁パネルフレームの箇所と、上記切欠きが形成される上記腰壁パネルフレームの箇所には、突出面部が形成されていてもよい。これによれば、上記バルコニー梁に先に取り付けられた上記腰壁パネルフレーム固定部材の位置に多少の誤差があっても、上記突出面部が小面積で上記腰壁取合いプレートに接触するため、摩擦が小さくなって上記腰壁パネルフレームを装着し易くなり、施工が容易になる。
【００１２】
上記腰壁パネルフレームの上端には上向きに開口する切欠きが形成されており、上記隣り合う腰壁パネルフレームの上端部の間には、上記切欠きに係合するピン部を両面に有するスペーサーが設けられていてもよい。これによれば、隣り合う腰壁パネルフレームの上端部の目地間を上記スペーサーの厚みによって設定することができる。また、隣り合う腰壁パネルフレームの面ずれ（出入り）を上記ピン部と上記切欠きとの係合によって矯正することができる。
【００１３】
上記上向きに開口する切欠きが形成される上記腰壁パネルフレームの箇所には、突出面部が形成されていてもよい。これによれば、上記腰壁パネルフレームに接触する部材と当該腰壁パネルフレームとの適切な接触が上記突出面部によって容易に得られることになり、施工が容易になる。
【００１４】
上記腰壁パネルフレームには縦中桟が設けられており、この縦中桟の下部が上記バルコニー梁に支持されていてもよい。これによれば、上記縦中桟の箇所で上記腰壁パネルフレームの重量が上記バルコニー梁で受け止められる。
【発明の効果】
【００１５】
本発明であれば、支柱のない簡素化された構造で防水性および施工性を向上できるという効果を奏する。
【図面の簡単な説明】
【００１６】
【図１】本発明の実施形態にかかる腰壁パネルフレーム固定構造を示した説明図であり、同図（Ａ）は平面視、同図（Ｂ）は正面視、同図（Ｃ）はＡ−Ａ断面、同図（Ｄ）はＢ−Ｂ断面の図である。
【図２】図１の腰壁パネルフレーム固定構造の一部を拡大示した説明図であり、同図（Ａ）は平面視、同図（Ｂ）は正面視、同図（Ｃ）はＣ−Ｃ断面の図である。
【図３】図１の腰壁パネルフレーム固定構造における縦フレームと腰壁パネルフレーム固定部材を分解拡大して示した説明図である。
【図４】図３の腰壁パネルフレーム固定部材におけるピン部を分解拡大して示した説明図である。
【図５】図１の腰壁パネルフレーム固定構造における縦フレームとスペーサーを分解拡大して示した説明図である。
【図６】図１の腰壁パネルフレーム固定構造における縦中桟フレームと自重支持部材を拡大して示した説明図である。
【図７】図１の腰壁パネルフレーム固定構造を拡大した説明図であり、同図（Ａ）は縦フレームと腰壁パネルフレーム固定部材を示した図であり、同図（Ｂ）は縦フレームとスペーサーを示した図である。
【図８】従来の腰壁パネルフレーム固定構造を示した説明図である。
【図９】従来の腰壁パネルフレーム固定構造の平面視、正面視、側面視の説明図である。
【発明を実施するための形態】
【００１７】
以下、この発明の実施の形態を添付図面に基づいて説明する。
図１および図２に示すように、この実施形態の腰壁パネルフレーム固定構造は、腰壁パネルフレーム１と、接合用板材２１の表面に縦配置で腰壁取合いプレート２２が固定された腰壁パネルフレーム固定部材２と、Ｈ型鋼からなるバルコニー梁３に接合された梁取合い部材４とを備え、上記腰壁パネルフレーム固定部材２における上記接合用板材２１の裏面が上記梁取合い部材４に接合されており、隣り合う腰壁パネルフレーム１がその縦フレーム１１の下部側で上記腰壁取合いプレート２２に固定されている。
【００１８】
上記腰壁パネルフレーム１は、例えば、幅が２Ｐ（Ｐ＝９１０ｍｍ）に設定されており、各サイドの縦フレーム１１から１Ｐ（９１０ｍｍ）の箇所に縦中桟フレーム１２が設けられており、０．５Ｐ（４５５ｍｍ）の箇所に桟木１３が設けられている。
【００１９】
上記梁取合い部材４は、上記バルコニー梁３の外側の上フランジ３１と下フランジ３２の両方に例えば溶接等によって接合されている。また、上記梁取合い部材４には２列で合計６個のボルト挿通孔が形成されている。そして、上記腰壁パネルフレーム固定部材２の接合用板材２１にも２列で合計６個のボルト挿通孔が形成されており、上記ボルト挿通孔に通されたボルト５１にナットを螺合させることで、上記腰壁パネルフレーム固定部材２がバルコニー梁３に固定されている。上記バルコニー梁３の外側縁から上記腰壁パネルフレーム１までの間隔は、この実施形態では１０ｍｍとなっており、この隙間に配置される上記接合用板材２１の厚みが６ｍｍに設定されていることから、上記ボルト５１は皿頭ボルトとされ、頭部が接合用板材２１の面から出ないようにしている。
【００２０】
上記腰壁パネルフレーム固定部材２における上記腰壁取合いプレート２２の厚みは９ｍｍとされている。また、上記腰壁取合いプレート２２は上記梁取合い部材４の高さよりも高くされている。
【００２１】
図３にも示しているように、上記腰壁取合いプレート２２の下部には、当該腰壁取合いプレート２２の両面から突出するピン部２２ｂが設けられている。そして、上記腰壁パネルフレーム１の縦フレーム１１の下端には下向きに開口する切欠き１１ａが形成されている。上記隣り合う腰壁パネルフレーム１の上記切欠き１１ａに上記腰壁取合いプレート２２のピン部２２ｂが係合する。
【００２２】
また、上記腰壁取合いプレート２２の上部にはボルト挿通孔２２ａが形成されている。このボルト挿通孔２２ａに挿通されたボルト５２が上記隣り合う腰壁パネルフレーム１の縦フレーム１１に形成されたボルト挿通孔にも通され、当該ボルト５２の共縫い連結によって上記隣り合う腰壁パネルフレーム１が上記腰壁取合いプレート２２に固定される。
【００２３】
図４に示しているように、上記腰壁取合いプレート２２には貫通螺子孔２２ｃが形成されており、この貫通螺子孔２２ｃに頭無しボルトが螺合される。この頭無しボルトにより、上記腰壁取合いプレート２２の両面に突出する上記ピン部２２ｂが形成される。もちろん、上記ピン部２２ｂが上記頭無しボルトで作製されることに限られるものではない。
【００２４】
上記隣り合う腰壁パネルフレーム１の上部側の間には、スペーサー６が設けられている。このスペーサー６の厚みは上記腰壁取合いプレート２２と同じ９ｍｍ厚とされている。
【００２５】
図５にも示しているように、上記スペーサー６には、当該スペーサー６の両面から突出するピン部６１が設けられている。そして、上記腰壁パネルフレーム１の縦フレーム１１の上端には上向きに開口する切欠き１１ｂが形成されている。上記隣り合う腰壁パネルフレーム１の上記切欠き１１ｂに上記スペーサー６のピン部６１ｂが係合する。この係合は、上記腰壁パネルフレーム１を上記腰壁取合いプレート２２に取り付けた後に行う。なお、上記スペーサー６には、上記腰壁取合いプレート２２と同様に貫通螺子孔が形成されており、この貫通螺子孔に頭無しボルトが螺合されることにより、上記スペーサー６の両面から突出する上記ピン部６１が形成される。
【００２６】
上記腰壁パネルフレーム１における２本の縦中桟フレーム１２の下部は上記バルコニー梁３に固定されている。具体的には、図６に示すように、梁取合い部材４Ａは上記バルコニー梁３の上フランジ３１と下フランジ３２の両方に溶接等によって接合されている。上記梁取合い部材４Ａには２箇所のボルト挿通孔が形成されている。そして、自重支持部材７には２列で合計４箇所のボルト挿通孔が形成されており、下側２個のボルト挿通孔と上記梁取合い部材４Ａの２箇所のボルト挿通孔に挿通されたボルト（皿頭ボルト）によって、上記自重支持部材７が上記梁取合い部材４Ａに固定される。そして、上記腰壁パネルフレーム１の縦中桟フレーム１２に形成されたボルト挿通孔と上記自重支持部材７の上側２個のボルト挿通孔に挿通されたボルトによって上記縦中桟フレーム１２が上記自重支持部材７に固定される。上記上側２個のボルト挿通孔が形成される部分は上記バルコニー梁３の上フランジ３１よりも上に位置している。
【００２７】
図７（Ａ）にも示すように、上記腰壁取合いプレート２２と上記腰壁パネルフレーム１との固定のための締結部材である上記ボルト５２が設けられる上記縦フレーム１１の箇所と、上記切欠き１１ａが形成される上記縦フレーム１１の箇所には、突出面部１１ｃが形成されている。また、図７（Ｂ）にも示すように、上記切欠き１１ｂが形成される上記縦フレーム１１の上端部の箇所にも、突出面部１１ｃが形成されている。上記突出面部１１ｃは例えばプレス加工によって形成することができる。
【００２８】
以上説明したように、上記バルコニー梁３の上フランジ３１と下フランジ３２の両方に接合された梁取合い部材４に上記腰壁パネルフレーム固定部材２が固定されており、上記腰壁取合いプレート２２を挟むように配置された隣り合う腰壁パネルフレーム１がその下部側で上記腰壁取合いプレート２に固定されるので、支柱のない構造のバルコニーが構築される。これにより、上記バルコニー梁３の上フランジ３１の上面を用いる支柱固定部とバルコニー床の防水施工材との干渉といった問題が無くなり、防水性を確保することが容易になる。また、支柱設置の作業が省略されるので、施工性も向上する。さらに、上記バルコニー梁３の上フランジ３１と下フランジ３２の両方に接合された梁取合い部材４に上記腰壁パネルフレーム固定部材２が固定されるので、上記腰壁パネルフレームの取り付けの剛性が向上する。また、隣り合う腰壁パネルフレーム１の目地間を上記腰壁取合いプレート２２の厚みによって設定することができる。
【００２９】
上記腰壁パネルフレーム１の下端に下向きに開口する切欠き１１ａが形成されており、上記腰壁取合いプレート２２の両面に上記隣り合う腰壁パネルフレーム１の切欠き１１ａに係合するピン部２２ｂが設けられた構成であると、上記腰壁パネルフレーム１の上記切欠き１１ａを上記ピン部２２ｂに上から係合させるだけで当該ピン部２２ｂを介して上記腰壁パネルフレーム１の重量が上記腰壁取合いプレート２２で受け止められることになる。また、上記腰壁パネルフレーム１に加わる水平力（風圧力）を、上記切欠き１１ａとピン部２２ｂを介して上記腰壁取合いプレート２２が受け止めることになる。ここで、上記腰壁パネルフレーム１の下端が上記バルコニー梁３の下に位置してボルト操作等が困難になるとしても、上記のように、上記腰壁パネルフレーム１の上記切欠き１１ａを上記ピン部２２ｂに上から係合させる作業を行えばよいので何ら作業上の問題は生じない。
【００３０】
上記腰壁取合いプレート２２と上記腰壁パネルフレーム１との固定のための締結部材である上記ボルト５２が設けられる上記腰壁パネルフレーム１の箇所および上記切欠き１１ａが形成される上記腰壁パネルフレーム１の箇所に上記突出面部１１ｃが形成されていると、上記バルコニー梁３に先に取り付けられた上記腰壁パネルフレーム固定部材２の位置に多少の誤差があっても、上記突出面部１１ｃが小面積で上記腰壁取合いプレート２２に接触するため、摩擦が小さくなって上記腰壁パネルフレーム１を装着し易くなり、施工が容易になる。
【００３１】
上記腰壁パネルフレーム１の上端に上記上向きに開口する切欠き１１ｂが形成されており、上記隣り合う腰壁パネルフレーム１の上端部の間に上記ピン部６１を両面に有するスペーサー６が設けられていると、隣り合う腰壁パネルフレーム１の上端部の目地間を上記スペーサー６の厚みによって設定することができる。また、隣り合う腰壁パネルフレーム１の面ずれ（出入り）を上記ピン部６１と上記切欠き１１ｂとの係合によって矯正することができる。なお、上記隣り合う腰壁パネルフレーム１の上端部の間に頭つなぎ（隣り合う腰壁パネルフレーム１の上端部跨ぐ部材）を配置することで上記スペーサー６を省略することが可能である。一方、上記スペーサー６を設ける構成であれば、上記頭つなぎを配置しない構成とすることもでき、また、上記頭つなぎを配置するとしても、特に強度を持たせる必要がなくなり、美観や防水の観点から上記頭つなぎを選択することが可能になる。
【００３２】
上記切欠き１１ｂが形成される上記腰壁パネルフレーム１の箇所に突出面部１１ｃが形成されていると、上記腰壁パネルフレーム１に接触する部材（例えば、上記スペーサー６）と当該腰壁パネルフレーム１との平面接触が上記突出面部１１ｃによって容易に得られることになり、施工が容易になる。
【００３３】
上記腰壁パネルフレーム１に縦中桟フレーム１２が設けられており、この縦中桟フレーム１２の下部が上記自重支持部材７を介して上記バルコニー梁３に支持されていると、上記縦中桟フレーム１２の箇所で上記腰壁パネルフレーム１の重量が上記バルコニー梁３で受け止められることになる。ここで、上記腰壁パネルフレーム１の縦フレーム１１や縦中桟フレーム１２が風圧力に対して十分なフレーム断面を有する場合でも、タイル等が貼付されて腰壁パネルの自重が増加した場合やパネル幅が広くされる場合に、フレーム断面を大きくすることが望ましくなることがある。上記のように、上記縦中桟フレーム１２の下部が上記自重支持部材７を介して上記バルコニー梁３に支持される構造であると、フレーム断面を大きくすることなく、上記タイル等が貼付されて腰壁パネルの自重が増加した場合やパネル幅を広くされる場合に対応することができる。なお、上記自重支持部材７については、腰壁パネルの自重を受ければよいので、上記腰壁取合いプレート２２ほど長くない部材で足りる。
【００３４】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３５】
１      腰壁パネルフレーム
１１    縦フレーム
１１ａ  切欠き
１１ｂ  切欠き
１１ｃ  突出面部
２      腰壁パネルフレーム固定部材
２１    接合用板材
２２    腰壁取合いプレート
２２ａ  ボルト挿通孔
２２ｂ  ピン部
３      バルコニー梁
３１    上フランジ
３２    下フランジ
４      梁取合い部材
５２    ボルト（締結部材）
６      スペーサー
６１    ピン部
７      自重支持部材
【図１】
2014196631.tif 000003
【図２】
2014196631.tif 000004
【図３】
2014196631.tif 000005
【図４】
2014196631.tif 000006
【図５】
2014196631.tif 000007
【図６】
2014196631.tif 000008
【図７】
2014196631.tif 000009
【図８】
2014196631.tif 000010
【図９】
2014196631.tif 000011